(57)【要約】【課題】光源としてＬＥＤ素子を用いた小型化が可能な平行光出射装置を提供する。【解決手段】平行光出射装置は、光源、反射部材、およびレンズを有する。光源は、発光ダイオード素子を有する。反射部材は、光源を中心として光源の光出射側を囲むように配置され、光源から入射する入射光を反射させて平行光として出射させる筒状反射面を有する。レンズは、筒状反射面によって囲まれる領域内における光軸上に配置され、筒状反射面によって反射されずに前記光源から直接入射する入射光を透過させて平行光として出射させる。【選択図】図１
2013149430.tif 000002
【特許請求の範囲】
【請求項１】
発光ダイオード素子を有する光源と、
前記光源を中心として前記光源の光出射側を囲むように配置され、前記光源から入射する入射光を反射させて平行光として出射させる筒状反射面を有する反射部材と、
前記筒状反射面によって囲まれる領域内における光軸上に配置され、前記筒状反射面によって反射されずに前記光源から直接入射する入射光を透過させて平行光として出射するレンズと
を有することを特徴とする平行光出射装置。
【請求項２】
前記平行光出射装置の前記光源と前記光軸とを含む断面視において、
前記光源の光出射面における一対の端部と、これらとは前記光軸に対して反対側となる前記筒状反射面の一対の反光源側端部とを結ぶ一対の仮想線を引いたとき、前記レンズの少なくとも一部は、前記一対の仮想線によって囲まれる領域のうち、前記光軸を含むとともに、前記一対の仮想線の交点に対して反光源側となる領域に位置する請求項１記載の平行光出射装置。
【請求項３】
前記レンズは、前記光源側に凸状となる略半球状を有するとともに反光源側に平面部を有し、前記平面部の中心部が前記光軸上に位置するとともに前記凸状部分の表面が前記一対の仮想線に接するように配置される請求項２記載の平行光出射装置。
【請求項４】
前記レンズと前記仮想線との接点と、前記レンズの前記平面部における中心部との長さをＲ、前記光源の前記光出射面の一対の端部間の長さをＰ、前記光軸と前記筒状反射面の前記光源側端部との長さを２ａとしたとき、Ｐ／２≦Ｒ≦２ａを満たす請求項３記載の平行光出射装置。
【請求項５】
前記平行光出射装置の前記光源と前記光軸とを含む断面視において、
前記レンズの最大径部分の大きさは、前記筒状反射面の前記一対の光源側端部間の長さの１．１倍以下である請求項１乃至４のいずれか１項記載の平行光出射装置。
【請求項６】
前記レンズは、透光性材料からなる支持材によって前記筒状反射面に固定される請求項１乃至５のいずれか１項記載の平行光出射装置。
【請求項７】
前記支持材は、板状を有し、外側面の全体が前記筒状反射面に固定され、中心部に前記レンズが嵌め込まれる孔部を有する請求項６記載の平行光出射装置。
【請求項８】
発光ダイオード素子を有する光源と、
前記光源を中心として前記光源の光出射側を囲むように配置され、前記光源から入射する入射光を反射させて平行光として出射させる筒状反射面を有する反射部材と、
前記筒状反射面によって囲まれる領域内における光軸上に配置され、前記筒状反射面によって反射されずに前記光源から直接入射する入射光を反射させる拡散光反射部と、
前記筒状反射面の反光源側端面上に設けられ、前記反光源側端面の外周部近傍から出射される出射光を前記光軸側に反射させる外側反射面、および前記外側反射面からの反射光を光軸方向に反射させる内側反射面を有する集光部材と
を有することを特徴とする平行光出射装置。
【請求項９】
前記平行光出射装置の前記光源と前記光軸とを含む断面視において、
前記光源の光出射面における一対の端部と、これらとは前記光軸に対して反対側となる前記筒状反射面の一対の反光源側端部とを結ぶ一対の仮想線を引いたとき、前記拡散光反射部の少なくとも一部は、前記一対の仮想線によって囲まれる領域のうち、前記光軸を含むとともに、前記一対の仮想線の交点に対して反光源側となる領域に位置する請求項１記載の平行光出射装置。
【請求項１０】
前記拡散光反射部は、中心部が前記光軸上に位置し、外周部が前記一対の仮想線に接するように配置される請求項９記載の平行光出射装置。
【請求項１１】
前記平行光出射装置の前記光源と前記光軸とを含む断面視において、
前記拡散光反射部の最大径部分の大きさは、前記筒状反射面の前記一対の光源側端部間の長さの１．１倍以下である請求項８乃至１０のいずれか１項記載の平行光出射装置。
【請求項１２】
前記反射部材および前記集光部材は、いずれも透光性材料からなり、前記筒状反射面、前記外側反射面、および前記内側反射面は、いずれも全反射により光を反射させる請求項８乃至１１のいずれか１項記載の平行光出射装置。
【請求項１３】
前記筒状反射面は放物面状であり、その形状は
ｒ２＝４ａｚ
ｒ：放物面の中心軸からの半径
ａ：焦点位置
ｚ：中心軸（出射側を正）
で表され、かつ前記筒状反射面の光源側端面の位置が略焦点となる請求項１乃至１２のいずれか１項記載の平行光出射装置。
【請求項１４】
前記焦点位置ａは、
０．１２５ｍｍ≦ａ≦３．７５ｍｍ 
を満たし、前記光源側端面および前記反光源側端面の面積をそれぞれＳ１及びＳ２としたとき、
Ｓ２／Ｓ１≦５８
を満たす請求項１３記載の平行光出射装置。
【請求項１５】
前記筒状反射面の光軸方向の長さＬは、
Ｌ≦２１４ｍｍ
を満たす請求項１乃至１４のいずれか１項記載の平行光出射装置。
【発明の詳細な説明】
【技術分野】
【０００１】
本発明は、平行光出射装置に係り、特に発光ダイオード素子を用いた平行光出射装置に関する。
【背景技術】
【０００２】
従来、スポット照明、自動車用ヘッドライト、液晶プロジェクタ、光ファイバー等の光源として、取り扱いが容易な平行光が用いられている。これらの中でも、液晶プロジェクタに用いられる平行光には、光度角度分布が狭く、かつ照度位置分布が均一であることが求められる。液晶プロジェクタは、例えば、平行光出射装置から出射される平行光を液晶パネルに入射させて、液晶パネルからの出力光として映像を得る。そして、液晶パネルからの出力光を投射レンズによりスクリーンに投影する。
【０００３】
平行光出射装置としては、例えば、平行光を所定の範囲内に照射できるものとして、光源と、該光源からの出射光を前方に平行光として反射させるリフレクタと、該リフレクタの前面に配置された開孔部を有するフレネル板とを有するものが知られている（例えば、特許文献１参照）。また、放物面鏡を用いるもの、回転楕円面鏡とコリメートレンズとを組み合わせるもの、さらに小型化の観点から回転楕円面鏡とコリメートレンズとを同一仮想線上に配置しないようにしたものが知られている（例えば、特許文献２参照）。
【０００４】
近年、省電力化および長寿命化の観点から、一般照明用途の光源において発光ダイオード素子への置き換えが進んでおり、液晶プロジェクタ等に用いられる平行光出射装置における光源についても発光ダイオード素子への置き換えが検討されている。以下、発光ダイオード素子をＬＥＤ素子と記す。しかし、従来の光源を単にＬＥＤ素子に置き換えただけでは、必ずしも光度角度分布が狭く、かつ照度位置分布が均一な平行光を得ることができない。例えば、照度位置分布が均一な平行光を得るために、ＬＥＤ素子の前方にフライアイレンズ等を配置することも考えられるが、フライアイレンズ等を設けると、その厚さの分だけ平行光出射装置が大型化する。
【先行技術文献】
【特許文献】
【０００５】
【特許文献１】特開平８−２９８７３号公報
【特許文献２】特開平１０−１１１４７８号公報
【発明の概要】
【発明が解決しようとする課題】
【０００６】
本発明は、上記課題を解決するためになされたものであって、液晶プロジェクタ等に好適な光度角度分布が狭く、かつ照度位置分布が均一な平行光を出射できる平行光出射装置であって、特に、光源としてＬＥＤ素子を用いた小型化が容易な平行光出射装置の提供を目的とする。
【課題を解決するための手段】
【０００７】
本発明の第１の平行光出射装置は、光源、反射部材、およびレンズを有する。光源は、発光ダイオード素子を有する。反射部材は、光源を中心として光源の光出射側を囲むように配置され、光源から入射する入射光を反射させて平行光として出射させる筒状反射面を有する。レンズは、筒状反射面によって囲まれる領域内における光軸上に配置され、筒状反射面によって反射されずに光源から直接入射する入射光を透過させて平行光として出射する。
【０００８】
本発明の第２の平行光出射装置は、光源、反射部材、拡散光反射部、および集光部材を有する。光源は、発光ダイオード素子を有する。反射部材は、光源を中心として前記光源の光出射側を囲むように配置され、光源から入射する入射光を反射させて平行光として出射させる筒状反射面を有する。拡散光反射部は、筒状反射面によって囲まれる領域内における光軸上に配置され、筒状反射面によって反射されずに光源から直接入射する入射光を反射させる。集光部材は、筒状反射面の反光源側端面上に設けられ、反光源側端面の外周部近傍から出射される出射光を光軸側に反射させる外側反射面、および外側反射面からの反射光を光軸方向に反射させる内側反射面を有する。
【発明の効果】
【０００９】
本発明の第１の平行光出射装置によれば、筒状反射面内に所定のレンズを配置することで、光源に発光ダイオード素子を用いて、光度角度分布が狭く、かつ照度位置分布が均一な平行光を得られる。
【００１０】
本発明の第２の平行光出射装置によれば、筒状反射面内に所定の拡散光反射部を配置するとともに、筒状反射面の反光源側端面上に所定の集光部材を配置することで、光源に発光ダイオード素子を用いて、光度角度分布が狭く、かつ照度位置分布が均一な平行光を得られる。
【図面の簡単な説明】
【００１１】
【図１】本発明の第１の平行光出射装置の一例を示す断面図。
【図２】図１に示す平行光出射装置の平面図。
【図３】レンズの大きさを説明するための説明図。
【図４】レンズの大きさを説明するための他の説明図。
【図５】レンズの支持方法の一例を示す断面図。
【図６】図５に示す支持方法の平面図。
【図７】本発明の第２の平行光出射装置の概略構成を示す断面図。
【図８】図７に示す概略構成の平面図。
【図９】拡散光反射部の大きさを説明するための説明図。
【図１０】本発明の第２の平行光出射装置の具体例を示す断面図。
【図１１】図１０に示す平行光出射装置の平面図。
【図１２】本発明の第２の平行光出射装置の他の具体例を示す断面図。
【図１３】第２の平行光出射装置における反射部材および集光部材の製造例を示す図。
【図１４】筒状反射面の形状を模式的に示す断面図。
【図１５】実施例１の平行光出射装置における光源からの距離１２．５ｍｍでの規格化された光度角度分布を示す図。
【図１６】実施例１の平行光出射装置における光源からの距離１２．５ｍｍでの規格化された照度位置分布を示す図。
【図１７】実施例１の平行光出射装置における光源からの距離３０ｍｍでの規格化された光度角度分布を示す図。
【図１８】実施例１の平行光出射装置における光源からの距離３０ｍｍでの規格化された照度位置分布を示す図。
【図１９】実施例２の平行光出射装置における光源からの距離３０ｍｍでの規格化された光度角度分布を示す図。
【図２０】実施例２の平行光出射装置における光源からの距離３０ｍｍでの規格化された照度位置分布を示す図。
【図２１】実施例２の平行光出射装置における光源からの距離６０ｍｍでの規格化された光度角度分布を示す図。
【図２２】実施例２の平行光出射装置における光源からの距離６０ｍｍでの規格化された照度位置分布を示す図。
【発明を実施するための形態】
【００１２】
以下、平行光出射装置の実施形態について説明する。
まず、第１の平行光出射装置の実施形態について説明する。
【００１３】
図１は、平行光出射装置の一例を示す断面図、図２は、図１に示す平行光出射装置を光出射側から見た平面図である。平行光出射装置１０は、例えば、基板１１、光源１２、ポッティング１３、反射部材１４、レンズ１５、および光量調整膜１６を有する。
【００１４】
基板１１は、例えば、中央部に凹部を有する略板状であって、この凹部に光源１２が設けられる。ここで、略とは肉眼で観察した際にそのように見える状態あるいはそのような概念に近い状態を指す。光源１２は、例えば、凹部の底面に配置されるＬＥＤ素子１２１と、このＬＥＤ素子１２１を覆うように設けられる蛍光体層１２２とから構成され、白色光を発光する。光源１２の光出射側には、例えば、光源１２の全体を覆うように取出し光量を増加させるための透光性材料からなる略半球状のポッティング部１３が設けられる。
【００１５】
なお、光源１２は、必ずしもＬＥＤ素子１２１と蛍光体層１２２とからなる白色光を発光するものに限定されず、ＬＥＤ素子１２１のみからなる単色光を発光するものでもよい。また、基板１１は、必ずしも中央部に凹部を有する必要はなく、光源１２は凹部を有しない平坦な基板１１の表面上に設けられてもよい。なお、図示しないが、ポッティング部１３は必ずしも必須構成ではなく、必要に応じて省略する構成としてもよい。
【００１６】
反射部材１４は、例えば、筒状を有し、光源１２を中心としてその光出射側を囲むように基板１１上に配置される。反射部材１４の内面は、光源１２から入射する入射光を反射させて平行光として出射させる筒状反射面１４１とされる。筒状反射面１４１は、例えば、光源１２を通る光軸を対称軸とする放物線をこの対称軸を中心に回転させて得られる曲面である放物面とされ、光源１２の位置を焦点とする。すなわち、反射部材１４は、例えば、光源１２の位置を焦点とする放物面鏡とされる。
【００１７】
レンズ１５は、筒状反射面１４１によって囲まれる領域内であって、光源１２の中心を通る光軸上に配置される。レンズ１５は、筒状反射面１４１によって反射されずに光源１２から直接入射する入射光である拡散光を透過させて平行光として出射させるものであり、例えば、光源１２側が凸状となる略半球状を有するとともに、光源１２とは反対側に平面部を有し、この平面部の中心部が光軸上となるように配置される。なお、レンズ１５は、光源１２から直接入射する入射光である拡散光を透過させて平行光として出射できるものであれば必ずしも形状は制限されない。
【００１８】
このような平行光出射装置１０によれば、光源１２から出射される出射光のうち、筒状反射面１４１に入射する入射光については、筒状反射面１４１によって平行光として出射できる。また、光源１２から出射される出射光のうち、筒状反射面１４１に入射しないために筒状反射面１４１によっては平行光にできない出射光についても、レンズ１５を透過させることで平行光として出射できる。従って、全体として、光度角度分布が狭く、かつ照度位置分布が均一な平行光を出射できる。また、必要に応じて、レンズ１５の反光源側端面に出射光の一部を反射もしくは吸収する部分反射膜または部分吸収膜からなる光量調整膜１６を配置することで、より照度位置分布が均一な平行光を出射できる。
【００１９】
以下、図３を参照して具体的に説明する。なお、図３に示す平行光出射装置１０は基本的に図１に示す平行光出射装置１０と同様であるが、説明のために一部図示を省略して示している。
【００２０】
筒状反射面１４１は、その筒状形状によって構成される光源１２側の端面が光源側端面１４２となり、この光源側端面１４２の両端部が光源側端部１４３となる。また、光源１２とは反対側の端面が反光源側端面１４４となり、この反光源側端面１４４における両端部が反光源側端部１４５となる。
【００２１】
このような筒状反射面１４１の内側領域は、例えば、光源１２の光出射面における一対の端部１２３と、これらとは光軸に対して反対側となる筒状反射面１４１の一対の反光源側端部１４５とを結ぶように引かれる一対の仮想線１７によって区画できる。このような仮想線１７によって区画される領域のうち、光軸を含むとともに、一対の仮想線１７の交点に対して反光源側となる領域１７１が、レンズ１５が無いものとした場合、光源１２からの出射光が主として直接的に出射するために拡散光となる領域である。従って、光度角度分布が狭く、かつ照度位置分布が均一な平行光を出射するために、レンズ１５の少なくとも一部はこのような領域１７１に配置されることが好ましい。
【００２２】
レンズ１５は、領域１７１に全てが収まるような大きさであってもよく、また一部が領域１７１を超える大きさであってもよいが、好ましくは光源１２側となる凸状部分の表面が仮想線１７に接することが好ましい。このようなものとすることで、レンズ１５が無いものとした場合に拡散光となるものを効果的に平行光にでき、また筒状反射面１４１からの平行光をレンズ１５が遮蔽することも抑制しやすい。
【００２３】
また、レンズ１５と仮想線１７との接点と、レンズ１５の平面部における中心部との長さをＲ、光源１２の光出射面の一対の端部間の長さをＰ、光軸と光源側端部１４３との長さを２ａとしたとき、Ｐ／２≦Ｒ≦２ａを満たすことが好ましい。長さＲをＰ／２以上とすることで、レンズ１５が無いものとした場合に拡散光となるものを効果的に平行光にできる。また、長さＲを２ａ以下とすることで、筒状反射面１４１からの平行光をレンズ１５が遮蔽することを抑制できる。
【００２４】
さらに、図４に示すように、レンズ１５の最大径部分の大きさ、すなわち平面部の大きさは、一対の光源側端部１４３間の長さＡ、すなわち上記長さ２ａの２倍の長さの１．１倍以下が好ましい。レンズ１５の最大径を長さＡの１．１倍以下とすることで、筒状反射面１４１からの平行光をレンズ１５で遮蔽することを抑制できる。
【００２５】
平行光出射装置１０における基板１１の構成材料は特に限定されず、例えば、アルミニウム等の金属材料、窒化ケイ素、窒化アルミニウム等のセラミックス材料、ガラスセラミックス材料、樹脂材料等を使用できる。ここで、ガラスセラミックス材料は、ガラス粉末とセラミックスフィラーとを含むガラスセラミックス組成物の焼成物である。以下、ガラスセラミックス材料について説明する。
【００２６】
ガラスセラミックス組成物におけるガラス粉末は、例えば、酸化物基準のモル％表示で、ＳｉＯ２を５７〜６５％、Ｂ２Ｏ３を１３〜１８％、ＣａＯを９〜２３％、Ａｌ２Ｏ３を３〜８％、Ｋ２ＯおよびＮａ２Ｏから選ばれる少なくとも一方を合計で０．５〜６％含有する。以下、このガラス粉末の各成分の限定理由においてモル％を単に％として説明する。
【００２７】
ＳｉＯ２は、ガラスのネットワークフォーマとなる。ＳｉＯ２の含有量を５７％以上とすることで、ガラスを安定化させ、化学的耐久性を確保できる。一方、ＳｉＯ２の含有量を６５％以下とすることで、ガラス溶融温度やＴｇで表わされるガラス転移点の過度な上昇を抑制できる。ＳｉＯ２の含有量は、好ましくは５８％以上、より好ましくは５９％以上、特に好ましくは６０％以上である。また、ＳｉＯ２の含有量は、好ましくは６４％以下、より好ましくは６３％以下である。本明細書では以下、ガラス転移点をＴｇという。
【００２８】
Ｂ２Ｏ３は、ガラスのネットワークフォーマとなる。Ｂ２Ｏ３の含有量を１３％以上とすることで、ガラス溶融温度やＴｇの過度な上昇を抑制できる。一方、Ｂ２Ｏ３の含有量を１８％以下とすることで、ガラスを安定化させ、化学的耐久性を確保できる。Ｂ２Ｏ３の含有量は、好ましくは１４％以上、より好ましくは１５％以上である。また、Ｂ２Ｏ３の含有量は、好ましくは１７％以下、より好ましくは１６％以下である。
【００２９】
Ａｌ２Ｏ３は、ガラスの安定性、化学的耐久性、および強度を向上させる。Ａｌ２Ｏ３の含有量を３％以上とすることで、ガラスを安定化できる。一方、Ａｌ２Ｏ３の含有量を８％以下とすることで、ガラス溶融温度やＴｇの過度な上昇を抑制できる。Ａｌ２Ｏ３の含有量は、好ましくは４％以上、より好ましくは５％以上である。また、Ａｌ２Ｏ３の含有量は、好ましくは７％以下、より好ましくは６％以下である。
【００３０】
ＣａＯは、ガラスの安定性や結晶の析出性を高めるとともに、ガラス溶融温度やＴｇを低下させる。ＣａＯの含有量を９％以上とすることで、ガラス溶融温度の過度な上昇を抑制できる。一方、ＣａＯの含有量を２３％以下とすることで、ガラスを安定化できる。ＣａＯの含有量は、好ましくは１２％以上、より好ましくは１３％以上、特に好ましくは１４％以上である。また、ＣａＯの含有量は、好ましくは２２％以下、より好ましくは２１％以下、特に好ましくは２０％以下である。
【００３１】
Ｋ２Ｏ、Ｎａ２Ｏは、Ｔｇを低下させる。Ｋ２ＯおよびＮａ２Ｏの合計した含有量を０．５％以上とすることで、ガラス溶融温度やＴｇの過度な上昇を抑制できる。一方、Ｋ２ＯおよびＮａ２Ｏの合計した含有量を６％以下とすることで、化学的耐久性、特に耐酸性を確保できるとともに、電気的絶縁性も確保できる。Ｋ２ＯおよびＮａ２Ｏの合計した含有量は、０．８％以上５％以下が好ましい。
【００３２】
セラミックスフィラーは、ガラスセラミックスの反射率を向上させる。セラミックスフィラーとしては、従来からガラスセラミックスの製造に用いられるセラミックスフィラーが挙げられ、アルミナフィラー、ジルコニアフィラー、安定化ジルコニアフィラー、チタニアフィラー、これらから選ばれる２種以上の混合物が挙げられる。
【００３３】
ガラス粉末とセラミックスフィラーとは、例えば、質量百分率表示で、ガラス粉末を２５〜５５％、セラミックスフィラーを４５〜７５％含有することが好ましい。ガラス粉末の含有量が２５％未満であると焼成によって緻密な焼成体を得ることが困難になるおそれがあり、好ましくは３５％以上である。また、ガラスの粉末の含有量が５５％超であると強度が不足するおそれがあり、好ましくは５０％以下、より好ましくは４５％以下である。
【００３４】
セラミックスフィラーは基板の強度を高くする成分である。その含有量は、より好ましくは５０％以上、特に好ましくは５５％以上である。セラミックスフィラーの含有量が７５％超であると、焼成によって緻密な焼成体を得ることが困難になる、または基板表面の平滑性が損なわれるおそれがあり、好ましくは６５％以下である。
【００３５】
ガラス粉末とセラミックスフィラーは、本発明の目的を損なわない範囲でその他の成分として無機物粉末、たとえば耐熱顔料などを含有することができる。その場合、当該その他の成分の含有量は、典型的には合計で５％以下である。
【００３６】
セラミックスフィラーは、平均アスペクト比が２５以上の扁平状（すなわち、薄片状）のセラミックスフィラーを用いてもよい。扁平状のセラミックスフィラーの平均アスペクト比の上限は、２００以下が好ましく、１００以下がより好ましい。平均アスペクト比が大きくなりすぎると、偏平フィラーの厚みが薄くなるために、スラリー作成時のボールミル混合操作において、セラミックスボールによって粉砕されてしまうおそれがある。また、平均アスペクト比が大きすぎると、表面積の増大や粒子間相互作用が起こりやすい扁平面の割合が多くなるため、スラリー作成時にフィラーを均一に分散させることが困難になってくる。これにより、グリーンシートに組成の片寄が生じたり、膜厚を均一にすることが困難になったり、その後のガラスセラミック組成物の製造工程に支障をきたすおそれがある。
【００３７】
上記アスペクト比とは、扁平状のフィラー粒子の長径（扁平面をｘｙ平面として、例えばｘ軸方向の径）を厚さ（扁平面に垂直なｚ軸方向の長さ）で割った値を意味する。また、複数種類の扁平状のセラミックスフィラーを混合して使用することも可能であり、その場合には、それぞれのセラミックスフィラーのアスペクト比とその存在割合をかけた値の合計から求められる値を、平均アスペクト比とする。扁平状のセラミックスフィラーを基板の面方向に平行に配向させた状態で含有させることで、基板１１の可視光領域の光の反射率を上げることができる。
【００３８】
基板１１は、光反射性の高いものが好ましく、例えば光反射性の高いアルミニウム等の金属材料からなるものが好ましい。また、樹脂材料、セラミックス材料、またはガラスセラミックス材料とする場合、その表面に、銀、アルミニウム、クロム、マグネシウム、白金等の光反射性の高い金属材料からなる高反射性膜を設けることが好ましく、特に、銀またはアルミニウムからなる高反射性膜を設けることが好ましい。高反射性膜の形成方法としては、ＰＶＤまたはＣＶＤのような蒸着法、スパッタ法、イオンプレーティング法、めっき法等が挙げられる。
【００３９】
ＬＥＤ素子１２１としては、例えば青色光を発するＬＥＤ素子が挙げられる。ＬＥＤ素子１２１の大きさは必ずしも限定されないが、標準的なＬＥＤ素子の大きさから１辺の長さが０．５〜１０ｍｍの正方形状または矩形状が好ましい。また、厚さについても必ずしも限定されないが、０．０５〜０．５ｍｍが好ましい。
【００４０】
蛍光体層１２２としては、例えばシリコーン樹脂等の樹脂材料中に青色光により励起されて黄色光を発する黄色蛍光体が分散されたものが挙げられる。その他、色再現性向上のため、赤色蛍光体、緑色蛍光体を分散させたものが挙げられる。蛍光体層１２２の大きさは必ずしも限定されないが、１辺の長さが０．５〜１５ｍｍの正方形状、矩形状、または直径が０．５〜１５ｍｍの円形状が好ましい。
【００４１】
筒状反射面１４１の形状は以下のように表すことができる。
放物面の式（１）から
ｒ２＝４ａｚ        ……（１）
ｒ：放物面の中心軸からの半径
ａ：焦点位置
ｚ：中心軸（出射側を正）
となり、図１４のように表わされる。ここで、端面形状が正方形、矩形の場合には、内面形状は半径ｒを各平面座標ｘ，ｙに置き換えてそれぞれ定義すればよい。
【００４２】
筒状反射面１４１の光源側端面１４２の位置は略焦点となるため、反射部材１４の長さＬは以下のように式（２）で表わされる。
ｚ＝ａ＋Ｌ        ……（２）
Ｌ：筒状反射面１４１の長さ
【００４３】
更に、光源側端面１４２の面積Ｓ１および反光源側端面１４４の面積Ｓ２はそれぞれ以下のように表わされる。
Ｓ１＝π（２ａ）２        ……（３）
Ｓ２＝π・ｒ２＝π・４ａｚ＝π・４ａ（ａ＋Ｌ）      ……（４）
【００４４】
よって、面積比Ｓ２／Ｓ１は以下のように表わされる。
Ｓ２／Ｓ１＝１＋Ｌ／ａ        ……（５）
【００４５】
放射の法則より、光が透過する面積と立体角の積は一定となるため、入出射面積と配光角は反比例関係にある。そのため出射側で略平行光を出射するには、反光源側端面１４４の面積を光源側端面１４２のそれに比べ大きく設定する必要がある。市販のＬＥＤ光のランバート配光の全角１２０度とし、プロジェクタの投影角が全角１５度前後以上とすると、これらの立体角はそれぞれ３．１４２および０．０５４であるから、これらの比（３．１４２／０．０５４＝５８）より面積比Ｓ２／Ｓ１の範囲を以下の（６）式に設定する。
Ｓ２／Ｓ１≦５８        ……（６）
【００４６】
式（５）より、式（６）の不等式は、（７）式に変換される。
Ｌ≦５７ａ            ……（７）
【００４７】
ここで、上記したＬＥＤ素子１２１または蛍光体層１２２の直径もしくは１辺の長さ、例えば上記した蛍光体層１２２の好ましい直径０．５〜１５ｍｍもしくは１辺の長さ０．５〜１５ｍｍと、筒状反射面１４１の光源側端面１４２の直径もしくは１辺の長さ２ａ×２との関係を表すと、（８）式となる。
０．５≦２ａ×２≦１５        ……（８）
【００４８】
よって、焦点ａの範囲は以下の通りとなる。
０．１２５≦ａ≦３．７５        ……（９）
【００４９】
式（７）から、筒状反射面１４１の長さＬは以下の通りとなる。
Ｌ≦２１４              ……（１０）
【００５０】
また、式（３）、（６）、（９）から、Ｓ１、Ｓ２の面積は以下の通りとなる。
π（２×０．１２５）２≦Ｓ１≦π（２×３．７５）２        ……（１１）
Ｓ２≧１０×π（２×０．１２５）２        ……（１２）  
【００５１】
プロジェクタ装置への搭載を考慮した場合、その大きさの制約等により、反光源側端面１４４の直径または１辺の長さは１．４〜１００ｍｍが好ましい。これにより、筒状反射面１４１の長さ、すなわち光源側端面１４２から反光源側端面１４４までの長さＬは、式（１）、（２）から、１．４７５〜１６３ｍｍが好ましい。反光源側端面１４４の形状も光源２の形状および出射光の求められる形状に応じて正方形状、矩形状、または円形状が好ましい。例えば、液晶パネル用の光源として使用する場合は、反光源側端面１４４は矩形状であり、スポットライト等の光源として使用する場合は、反光源側端面１４４は円形状が好ましい。
【００５２】
反射部材１４の構成材料としては、例えば、アルミニウム等の金属材料、窒化ケイ素、窒化アルミニウム等のセラミックス材料、ガラスセラミックス材料、樹脂材料等が挙げられる。ガラスセラミックス材料としては、基板１１を構成するガラスセラミックス材料が高反射のガラスセラミック部材であるので反射部材１４として使用できる。
【００５３】
反射部材１４は、光反射性の高いアルミニウム等の金属材料からなるものが好ましい。また、樹脂材料、セラミックス材料、またはガラスセラミックス材料とする場合、その筒状反射面１４１となる内面には、銀、アルミニウム、クロム、マグネシウム、白金等の光反射性の高い金属材料からなる高反射性膜を設けることが好ましく、特に、銀またはアルミニウムからなる高反射性膜を設けることが好ましい。高反射性膜の形成方法としては、ＰＶＤまたはＣＶＤのような蒸着法、スパッタ法、イオンプレーティング法、めっき法等が挙げられる。
【００５４】
光量調整膜１６は、レンズ１５の反光源側端面に設けるのが好ましく、レンズ１５の大きさ、光量分布等に応じて、適宜大きさを設定できる。光量調整膜１６としては、例えば、可視光に対する反射率が高く、また可視光の吸収が少ないことから、銀、アルミニウム、クロム、マグネシウム、白金等からなるものが好適なものとして挙げられ、特に、銀またはアルミニウムからなるものが好適なものとして挙げられる。
【００５５】
光量調整膜１６の形成方法としては、ＰＶＤまたはＣＶＤのような蒸着法、スパッタ法、イオンプレーティング法、めっき法等が挙げられる。吸収が少なく反射率が高い点から、シリカ、チタニア、アルミナ、フッ化ランタン、フッ化マグネシウム、六フッ化アルミニウムナトリウム、ジルコニア、五酸化タンタル、五酸化ニオブ、酸化ランタン、イットリア、酸化亜鉛、硫化亜鉛等誘電体からなる多層膜で構成してもよい。
【００５６】
レンズ１５の構成材料は、透光性を有するものであって、全反射により光を反射できるものであればよく、二酸化ケイ素を主成分とする一般的なガラス材料の他、リン酸系ガラス、ビスマス系ガラス、透光性樹脂等が挙げられる。
【００５７】
リン酸系ガラスとしては、例えば、酸化物基準の質量％で、Ｐ２Ｏ５  ３６〜４８％、Ｂ２Ｏ３  ４〜１１％、Ｌｉ２Ｏ  ３〜５％、ＢａＯ  １５〜３８％、ＣａＯ  ２〜９％、ＭｇＯ  ０〜７％、ＳｒＯ  ０〜８％、Ａｌ２Ｏ３  ２〜４％、他微量成分（ＺｎＯ、Ｌａ２Ｏ３、Ｇｄ２Ｏ３）がそれぞれ  ０〜４％、また屈折率ｎｄが１．５８〜１．６２、アッベ数νｄが６３〜６８のものが挙げられる。具体的には、Ｐ２Ｏ５を３７．７％、Ｂ２Ｏ３を４．６％、ＢａＯを３６．２％、Ｌｉ２Ｏを３．８％、Ａｌ２Ｏ３を３．８％、ＣａＯを６．６％、ＭｇＯを４．８％、Ｌａ２Ｏ３を１．２％、Ｇｄ２Ｏ３を１．３％含有し、屈折率ｎｄが１．６２であるものが挙げられる。
【００５８】
ビスマス系ガラスとしては、酸化物基準の質量％で、Ｐ２Ｏ５を１０〜１８％、Ｂｉ２Ｏ３を３７〜６４％、Ｎｂ２Ｏ５を５〜２５％、Ｎａ２Ｏを４．１超〜１０％、Ｋ２Ｏを０〜２％、ＷＯ３を０〜２０％未満、ＴｉＯ２を０〜３％、およびＢ２Ｏ３を０〜２％を含有し、屈折率ｎｄが１．９８以上であるものが挙げられる。具体的には、Ｐ２Ｏ５を１５．０％、Ｂｉ２Ｏ３を４１．６％、Ｎｂ２Ｏ５を２３．３％、Ｎａ２Ｏを４．６％、Ｋ２Ｏを０．６％、ＷＯ３を１１．１％、ＴｉＯ２を２．０％、Ｂ２Ｏ３を１．８％含有するものが挙げられる。
【００５９】
透光性樹脂としては、例えば、アクリル樹脂、ジエチレングリコールビスアリルカーボネート樹脂、ポリスチレン、芳香族ポリカーボネート系樹脂、核ハロゲン置換芳香環を有するジメタクリレートと芳香環を有する１官能性単量体との共重合体、ポリイソシアネートとポリチオールとの共重合体、メタクリル酸メチル／スチレン樹脂、メタクリル酸トリシクロ〔５．２．１．０２，６〕デカ−８−イル／スチレン樹脂、メタクリル酸トリシクロ〔５．２．１．０２，６〕デカ−８−イル／スチレン／架橋性多官能モノマーの共重合体、芳香環含有ジ（メタ）アクリレート／芳香環含有単量体／水酸基含有単量体の共重合体、芳香環含有ジ（メタ）アクリレート／芳香環含有単量体／エポキシ基含有単量体の共重合体、核ハロゲン置換芳香環とアルキレングリコール基を含有するジ（メタ）アクリレート／芳香環含有単量体／芳香環とエポキシ基を含有する化合物の共重合体またはスチレン誘導体／エチレングリコールジメタクリレート／特定のジアクリレート化合物／特定のエポキシ変成ジ（メタ）アクリレートの共重合体等が挙げられる。
【００６０】
図５は、レンズ１５の支持方法の一例を示す断面図、図６は、図５に示す支持方法の平面図である。レンズ１５は、例えば、光透過性材料からなる支持材２０によって支持される。支持材２０は、例えば、筒状反射面１４１の内面形状に応じた円板状等の板状を有し、外側面の全体が筒状反射面１４１に接触するようにして固定される。また、中心部に孔部２０１を有し、この孔部２０１にレンズ１５を嵌め込むようにして支持する。
【００６１】
支持材２０の構成材料は、光透過性材料であれば特に限定されず、レンズ１５と同様の構成材料、例えば、二酸化ケイ素を主成分とする一般的なガラス材料の他、リン酸系ガラス、ビスマス系ガラス、透光性樹脂等が挙げられる。
【００６２】
次に、第２の平行光出射装置の実施形態について説明する。
図７は、第２の平行光出射装置の概略構成を示す断面図、図８は、図７に示す第２の平行光出射装置の概略構成を光出射側から見た平面図である。
【００６３】
第２の平行光出射装置１０は、例えば、基板１１、光源１２、反射部材１４、拡散光反射部２１、および集光部材２２を有する。基板１１、および光源１２は、第１の平行光出射装置１０と基本的に同様である。また、反射部材１４における筒状反射面１４１の形状についても、第１の平行光出射装置１０と基本的に同様である。
【００６４】
第２の平行光出射装置１０は、第１の平行光出射装置１０におけるレンズ１５の代わりに拡散光反射部２１を有するとともに、集光部材２２を有する点が異なる。拡散光反射部２１は、例えば、薄膜状であり、断面形状が凹状となるような略円板状を有し、凹部側が光源１２側となるように配置される。また、中心部が光軸上となるように配置される。なお、拡散光反射部２１は、光源１２から出射して拡散する出射光を反射させて、筒状反射面１４１等に向けて再出射させるものであれば形状等は必ずしも制限されない。
【００６５】
集光部材２２は、反射部材１４の反光源側端面１４４上に設けられ、この反光源側端面１４４の外周部近傍から出射される出射光を光軸側に反射させる外側反射面２２１、およびこの外側反射面２２１からの反射光を光軸に沿った方向に反射させる内側反射面２２２を有する。
【００６６】
筒状反射面１４１は、第１の平行光出射装置１０と同様、光源１２から出射される出射光を平行光として出射させる。このような筒状反射面１４１によって囲まれる領域内であって、光軸上となる位置に拡散光反射部２１を配置することで、光源１２から出射される出射光のうち、筒状反射面１４１に入射しないために筒状反射面１４１によっては平行光にできない出射光を反射させ、最終的に筒状反射面１４１により再出射できる。
【００６７】
そして、集光部材２２では、反射部材１４の反光源側端面１４４の外周部近傍から出射される出射光を外側反射面２２１によって光軸側に反射させるとともに、この外側反射面２２１からの反射光を内側反射面２２２によって光軸方向に反射させ、集光部材２２の中央部付近から平行光として出射させる。一方、反射部材１４の反光源側端面１４４内における中央部と外周部との中間部から出射される出射光は、外側反射面２２１によっては反射させず、そのまま集光部材２２を透過して平行光として出射させる。従って、第２の平行光出射装置１０によれば、全体として、光度角度分布が狭く、かつ照度位置分布が均一な平行光を出射できる。
【００６８】
以下、図９を参照して具体的に説明する。なお、図９に示す平行光出射装置１０は基本的に図７に示す平行光出射装置１０と同様であるが、説明のために一部図示を省略して示している。
【００６９】
拡散光反射部２１についても、第１の平行光出射装置１０におけるレンズ１５と同様、光度角度分布が狭く、かつ照度位置分布が均一な平行光を出射するために、少なくとも一部は領域１７１に配置されることが好ましい。拡散光反射部２１は、領域１７１に全てが収まるような大きさであってもよく、また一部が領域１７１を超える大きさであってもよいが、好ましくは外周部が仮想線１７に接することが好ましい。このようなものとすることで、拡散光反射部２１が無いものとした場合に拡散光となるものを効果的に平行光にでき、また筒状反射面１４１からの平行光を拡散光反射部２１が遮蔽することも抑制しやすい。
【００７０】
また、拡散光反射部２１の最大径部分の大きさは、筒状反射面１４１の一対の光源側端部１４３間の長さＡの１．１倍以下が好ましい。拡散光反射部２１の最大径部分の大きさを長さＡの１．１倍以下とすることで、筒状反射面１４１からの平行光を拡散光反射部２１が遮蔽することを抑制できる。
【００７１】
外側反射面２２１と、筒状反射面１４１の反光源側端面１４４とのなす角θ１は、４５度程度が好ましいが、３度程度増減があっても構わない。また、内側反射面２２２と、筒状反射面１４１の反光源側端面１４４とのなす角θ２についても、４５度程度が好ましいが、３度程度増減があっても構わない。このような角度の組み合わせとすることで、平行光を得やすくなる。
【００７２】
断面視における集光部材２２の光源側端面の大きさは、筒状反射面１４１の反光源側端面１４４の大きさと同一が好ましいが、筒状反射面１４１の反光源側端面１４４の大きさの０．９〜１．１倍であれば構わない。内側反射面２２２の光源側端部は、筒状反射面１４１の光源側端部１４３の延長線上が好ましいが、光軸方向とは垂直な方向に若干ずれていても構わない。また、内側反射面２２２の反光源側端部は、光軸上が好ましいが、光軸から光軸方向とは垂直な方向に若干ずれていても構わない。外側反射面２２１については、例えば、内側反射面２２２に応じて、光軸方向の長さが略同様の長さとなるように調整する。
【００７３】
このように、角θ１、θ２を所定の角度の組み合わせとするとともに、所定の位置に外側反射面２２１および内側反射面２２２を設けることで、筒状反射面１４１の反光源側端面１４４の外周部近傍から出射される出射光を外側反射面２２１によって光軸側に反射させるとともに、この外側反射面２２１からの反射光を内側反射面２２２によって光軸方向に反射でき、光度角度分布が狭く、かつ照度位置分布が均一な平行光を出射できる。
【００７４】
図１０は、第２の平行光出射装置１０の具体例を示す断面図、図１１は、図１０に示す第２の平行光出射装置１０の平面図である。
【００７５】
反射部材１４は、例えば、光軸を対称軸とした略柱状の空間部１４２を内部に有し、その他の全体が透光性を有する材料から構成され、外側面が全反射により光を反射させる筒状反射面１４１とされる。通常、平面視における空間部１４２の大きさは、筒状反射面１４１の光源側端面１４２の大きさや、拡散光反射部２１の大きさに応じて決定される。反射部材１４の構成材料は、透光性を有するものであって、全反射により光を反射できるものであればよく、二酸化ケイ素を主成分とする一般的なガラス材料の他、リン酸系ガラス、ビスマス系ガラス、透光性樹脂等が挙げられる。
【００７６】
空間部１４２の底面には拡散光反射部２１が設けられる。拡散光反射部２１としては、例えば、銀またはアルミニウム等の高反射性膜が好ましい。高反射性膜の形成方法としては、ＰＶＤまたはＣＶＤのような蒸着法、スパッタ法、イオンプレーティング法、めっき法等が挙げられる。例えば、予め、空間部１４２の底面を光源１２とは反対側に凸状となるような形状としておき、この凸状の底面上に拡散光反射部２１を形成することで、全体の断面形状が光源１２に向かって凹状となるような略円板状の拡散光反射部２１を形成できる。
【００７７】
また、集光部材２２は、例えば、その光源側端面に光軸を対称軸とした略円錐状の空間部２２３を有し、その他の全体が透光性を有する材料から構成され、外側面、内側面のそれぞれが全反射により光を反射させる外側反射面２２１、内側反射面２２２とされる。集光部材２２の構成材料は、透光性を有するものであって、全反射により光を反射できるものであればよく、二酸化ケイ素を主成分とする一般的なガラス材料の他、リン酸系ガラス、ビスマス系ガラス、透光性樹脂等が挙げられる。
【００７８】
図１２は、第２の平行光出射装置１０の他の具体例を示す断面図である。反射部材１４の光源側端面１４２には、例えば、第１の平行光出射装置１０における略半球状のポッティング部１３と同様の取出し光量を増加させる機能を有する略半球状の空間部１４３を設けることができる。
【００７９】
このような反射部材１４と集光部材２２とは、例えば、それぞれを別々に製造後、両者を接合して製造される。例えば、図１３に示すように、空間部１４２、必要に応じて空間部１４３を有する反射部材１４を形成した後、空間部１４２の底面に拡散光反射部２１を形成する。別途、空間部２２３を有する集光部材２２を形成する。その後、反射部材１４と集光部材２２とを透明な接着材料等により接合する。このようにすることで、反射部材１４と集光部材２２とが一体化されるとともに、内部に拡散光反射部２１を有するものを製造できる。
【実施例】
【００８０】
以下、本発明の平行光出射装置１０について実施例を参照してより具体的に説明する。
【００８１】
（実施例１）
平行光出射装置１０は、図１に示されるように、光源１２が配置された基板１１と、この基板１１上において光源１２の光出射側に設けられる筒状の反射部材１４と、光源１２を覆うポッティング部１３と、このポッティング部１３の光出射側に配置されるレンズ１５とを有するものとした。また、光源１２は、ＬＥＤ素子１２１と、これを覆うように設けられた蛍光体層１２２とからなるものとした。なお、レンズ１５には、光源１２とは反対側に平面部の全体に光量調整膜１６を設けた。光量調整膜１６は、透過率６０％、つまり反射率４０％とした。
【００８２】
光源１２は、表面の高さが基板１１の表面の高さと一致するように埋設した。ＬＥＤ素子１２１は１辺が２ｍｍの正方形状とし、厚みは０．１２ｍｍとした。蛍光体層１２２は１辺が２．５ｍｍの正方形状とし、厚みは０．６ｍｍとした。ポッティング部１３は、直径が６ｍｍの半球状とし、シリコーン樹脂からなるものとした。反射部材１４は全体がアルミニウムからなる筒状体とし、筒状反射面１４１は光源１２の位置を焦点とする放物面であって鏡面状とした。筒状反射面１４１の光源側端面１４２の直径は６ｍｍ、反光源側端面１４４の直径は１８ｍｍ、筒状反射面１４１の高さは１２ｍｍとした。レンズ１５は、凸部側が光源１２側となるように配置される略半球状を有し、光源１２と反対側の平面部分である最大径部分の直径が４．８ｍｍ、光軸方向の長さ、すなわち厚さが２．４ｍｍであり、ポッティング部１３とレンズ１５とが互いに接するように配置した。
【００８３】
このような平行光出射装置１０について、光度角度分布および照度位置分布をシミュレーションによって求めた。なお、光度角度分布および照度位置分布およびは、光源からの距離が１２．５ｍｍの場合と３０ｍｍの場合との２通りについてシミュレーションを行った。なお、光度角度分布は、光源１２を通る光軸を０度とし、この光軸からの角度と光度との関係を示した。照度位置分布は、筒状反射面１４１の反光源側端面１４４の中央部上の位置を基準である０ｍｍの位置とし、この基準からの位置と照度との関係を示した。光源１２からの距離が１２．５ｍｍの場合における規格化された光度角度分布および照度位置分布の結果をそれぞれ図１５、１６に示す。また、光源からの距離が３０ｍｍの場合における規格化された光度角度分布および照度位置分布の結果をそれぞれ図１７、１８に示す。
【００８４】
（実施例２）
平行光出射装置１０は、図１０に示すように、光源１２が配置された基板１１と、この基板１１上において光源１２の光出射側に設けられる反射部材１４と、この反射部材１４内に設けられる拡散光反射部２１と、反射部材１４の光出射側に設けられる集光部材２２とを有するものとした。基板１１、光源１２については、例１と同様とした。反射部材１４は、内部に略柱状の空孔部１４６および光入射側に略半球状の空孔部１４３を有するものとし、その他の部分が透光性材料であるアクリル樹脂からなるものとし、筒状反射面１４１となる外側面は光源１２の位置を焦点とする放物面とした。筒状反射面１４１の光源側端面の直径は６ｍｍ、反光源側端面１４４の直径は１８ｍｍ、筒状反射面１４１の長さは１２ｍｍとした。略柱状の空孔部１４６は、光源１２とは反対側に向かって凸状となる底面を有し、直径５ｍｍ、光源側端面１４２から底面の中心部までの長さが４．３ｍｍとした。また、空孔部１４６の底面の曲率半径は４．３ｍｍで厚さ１００ｎｍのアルミニウム膜からなる拡散光反射部２１を設けた。略半球状の空孔部１４３は、直径が６ｍｍの半球状とした。集光部材２２は、反射部材１４の反光源側端面１４４とのなす角θ１が４５度の外側反射面２２１と、反射部材１４の反光源側端面１４４とのなす角θ２が４５度の内側反射面２２２とを有し、光源側端面の外周部の直径は１８ｍｍ、同端面の内周部の直径は５ｍｍ、反光源側端面の外周部の直径は１３ｍｍ、全体の厚さは２．５ｍｍとした。
【００８５】
このような平行光出射装置１０について、光度角度分布および照度位置分布をシミュレーションによって求めた。なお、光度角度分布および照度位置分布およびは、光源からの距離が３０ｍｍの場合と６０ｍｍの場合との２通りについてシミュレーションを行った。光源からの距離が３０ｍｍの場合における規格化された光度角度分布および照度位置分布の結果をそれぞれ図１９、２０に示す。また、光源からの距離が６０ｍｍの場合における規格化された光度角度分布および照度位置分布の結果をそれぞれ図２１、２２に示す。
【００８６】
図１５〜２２に示されるように、実施例１、２の平行光出射装置１０によれば、いずれも光度角度分布が狭く、かつ照度位置分布が均一な平行光が得られる。
【符号の説明】
【００８７】
１０…平行光出射装置、１１…基板、１２…光源、１３…ポッティング部、１４…反射部材、１５…レンズ、１６…光量調整膜、１７…仮想線、２０…支持材、２１…拡散光反射部、２２…集光部材、１２１…ＬＥＤ素子、１２２…蛍光体層、１４１…筒状反射面、１４２…光源側端面、１４３…光源側端部、１４４…反光源側端面、１４５…反光源側端部、１４６…空間部、１７１…領域、２２１…外側反射面、２２２…内側反射面、２２３…空間部
【図１】
2013149430.tif 000003
【図２】
2013149430.tif 000004
【図３】
2013149430.tif 000005
【図４】
2013149430.tif 000006
【図５】
2013149430.tif 000007
【図６】
2013149430.tif 000008
【図７】
2013149430.tif 000009
【図８】
2013149430.tif 000010
【図９】
2013149430.tif 000011
【図１０】
2013149430.tif 000012
【図１１】
2013149430.tif 000013
【図１２】
2013149430.tif 000014
【図１３】
2013149430.tif 000015
【図１４】
2013149430.tif 000016
【図１５】
2013149430.tif 000017
【図１６】
2013149430.tif 000018
【図１７】
2013149430.tif 000019
【図１８】
2013149430.tif 000020
【図１９】
2013149430.tif 000021
【図２０】
2013149430.tif 000022
【図２１】
2013149430.tif 000023
【図２２】
2013149430.tif 000024